(57)【要約】【課題】Ｒｅｃｉｐｒｏｃｉｔｙの思想を保つことができない端末機器が接続された場合においても柔軟な対応を実行可能なシステムを提供する。【解決手段】複数のユーザの各々に設置された端末装置の画面上にサーバ装置からネットワークを介して他のユーザに関する画像情報を表示する分散システムにおいて、前記サーバ装置において、第１の端末装置からの画像情報の受信の有無を検出する検出手段と、前記検出手段によって前記第１の端末装置から画像情報が受信された場合、前記第１の端末装置においてログインしているユーザと同一のユーザであることを示す認証番号の入力が検出された第２の端末装置に対して、その他の各端末装置の画像情報を前記第２の端末装置に対して送信する送信手段とを有することを特徴とする分散システム。【選択図】        図６
2005018261.tif 000002
【特許請求の範囲】
【請求項１】
複数のユーザの各々に設置された端末装置の画面上にサーバ装置からネットワークを介して他のユーザに関する画像情報を表示する共有システムにおいて、
前記サーバ装置において、
第１の端末装置からの画像情報の受信の有無を検出する検出手段と、
前記検出手段によって前記第１の端末装置から画像情報が受信された場合、前記第１の端末装置においてログインしているユーザと同一のユーザであることを示す認証番号の入力が検出された第２の端末装置に対して、その他の各端末装置の画像情報を前記第２の端末装置に対して送信する送信手段とを有することを特徴とする共有システム。
【請求項２】
複数のユーザの各々に設置された端末装置の画面上にサーバ装置からネットワークを介して他のユーザに関する画像情報を表示する共有システムにおいて、
前記サーバ装置において、
画像情報を送信していない端末装置に対して、その他の各端末装置の画像情報を送信する代償として、前記所定の端末が前記分散システムに接続している情報を前記その他の各端末装置に送信する送信手段とを有することを特徴とする共有システム。
【請求項３】
請求項２において、前記送信手段は、前記所定の端末が前記共有システムに接続している情報として、前記所定の端末にログインしているユーザに関する情報を送信することを特徴とする共有システム。
【請求項４】
複数のユーザの各々に設置された端末装置の画面上にサーバ装置からネットワークを介して他のユーザに関する画像情報を表示する共有システムにおいて、
前記サーバ装置において、
第１の端末装置からの画像情報の送信の有無、ならびに前記第１の端末装置においてログインしているユーザと同一のユーザであることを示す認証番号の入力が検出された第２の端末装置からの画像情報の送信の有無を検出する検出手段と、
前記検出手段によって検出された端末装置に対して、前記第１，第２の端末装置以外の画像情報を送信する送信手段とを有することを特徴とする共有システム。
【請求項５】
複数のユーザの各々に設置された端末装置の画面上にサーバ装置からネットワークを介して他のユーザに関する画像情報を表示する共有システムの動作処理方法であって、
第１の端末装置から画像情報が受信された場合、前記第１の端末装置においてログインしているユーザと同一のユーザであることを示す認証番号の入力が検出された第２の端末装置に対して、その他の各端末装置の画像情報を前記第２の端末装置に対して送信することを特徴とする共有システムの動作処理方法。
【請求項６】
複数のユーザの各々に設置された端末装置の画面上にサーバ装置からネットワークを介して他のユーザに関する画像情報を表示する共有システムの動作処理方法であって、
画像情報を送信していない端末装置に対して、その他の各端末装置の画像情報を送信する代償として、前記所定の端末が前記分散システムに接続している情報を前記その他の各端末装置に送信することを特徴とする共有システムの動作処理方法。
【請求項７】
請求項６において、前記所定の端末が前記分散システムに接続している情報として、前記所定の端末にログインしているユーザに関する情報を送信することを特徴とする共有システムの動作処理方法。
【請求項８】
複数のユーザの各々に設置された端末装置の画面上にサーバ装置からネットワークを介して他のユーザに関する画像情報を表示する共有システムの動作処理方法において、
第１の端末装置からの画像情報の送信の有無、ならびに前記第１の端末装置においてログインしているユーザと同一のユーザであることを示す認証番号の入力が検出された第２の端末装置からの画像情報の送信の有無を検出し、
画像情報の送信が検出された端末装置に対して、前記第１，第２の端末装置以外の画像情報を送信する送信手段とを有することを特徴とする共有システムの動作処理方法。
【請求項９】
請求項５ないし請求項８のいずれか１項に記載の共有システムの動作処理方法を実行するためのプログラム。
【請求項１０】
請求項９に記載のプログラムを記憶した記憶媒体。
【発明の詳細な説明】
【０００１】
【発明の属する技術分野】
本発明は、複数のユーザの間で、ユーザ自身の画像またはユーザ自身あるいはその近辺の画像を含む勤務状況の画像を共有することのできる画像配信制御方法に関するものである。
【０００２】
【従来の技術】
インターネット網や組織内のイントラネット網等の普及、インターネット網の利用における常時接続を前提とした定額制課金体系の普及、ディジタル画像圧縮伸長符号化技術の発展、パーソナルコンピュータ等の演算処理能力向上によるディジタル画像圧縮伸長符号化処理のソフトウェア処理化によるコストダウン、廉価なパーソナルコンピュータ用ビデオキャプチャデバイス（ビデオカメラ）の普及、ビデオキャプチャデバイスとパーソナルコンピュータを容易に接続することのできるＵＳＢ（Ｕｎｉｖｅｒｓａｌ  Ｓｅｒｉａｌ  Ｂｕｓ）インターフェースの普及、など様々な背景から、インターネット網やイントラネット網などの通信回線網を利用して、複数のユーザにより構成されるグループの間で画像情報を常時接続し共有することのできるグループ情報共有システムが開発され、その普及が期待されている。
【０００３】
その種のシステムの例としては、特開２０００−１８１９６７号公報（公開日：平成１２年６月３０日）の「分散オフィスシステム」などがある。
【０００４】
この従来システムは、インターネットまたはイントラネット等の通信回線網を介して複数のユーザの間で勤務状況画像（ユーザ自身とその在席位置近辺の状況を含む画像を便宜的にこう呼ぶが、実際にはユーザ自身の画像のみである場合もある。また、勤務とは関係ない各種コミュニティなどのグループにおいてグループ情報共有システムが用いられる場合もある）を原則的に常時連続して接続・共有（各ユーザが自らの端末装置から自身の勤務状況画像をサーバ装置に送信し、サーバ装置は各ユーザの端末装置から受信した勤務状況画像を他のユーザの端末装置へ転送配信することにより、結果として複数のユーザの間で共有できる）するものである。
【０００５】
【特許文献１】
特開２０００−１８１９６７号公報
【特許文献２】
特開２００１−１８６４９０号公報
【０００６】
【発明が解決しようとする課題】
従来のグループ情報共有システムでは、原則的に常時（２４時間常時行う場合と、勤務時間中常時行う場合とがある）複数のユーザ間で勤務状況画像の共有を行っているが、そもそもこの種のシステムではビデオカメラがユーザ自身の画像を撮像しそれを他のユーザに送信することから、ユーザにとっては自身のプライバシーが侵害されるのではないかという心理的な抵抗感が生じ、それに起因して利用開始についての躊躇が見られることが一般的であった。そこでこれを解決する目的において、特開２００１−１８６４９０号公報には、「勤務状況画像を送信するユーザのみが他のユーザの勤務状況画像を受信し表示する（視認する）ことができる」システムが開示されている。
【０００７】
このような制御によって、ユーザは「自分の状況は他のユーザに伝わるが、他のユーザの状況も自分に伝わるという互恵的な制御がおこなわれている（以下、Ｒｅｃｉｐｒｏｃｉｔｙ制御とよぶ）」ことで、プライバシーが侵害されているとしてもお互いに対等の状況にあること、それは通常の大部屋式オフィスにおいて勤務者同士がお互いの状況を視認できることと同一の状態であること、等を理解し実感することができ、それにより、前記の心理的な抵抗感、利用開始の躊躇の問題を解決し、安心してグループ情報共有システムの利用を開始し、前記の各効果を享受することができたのである。
【０００８】
しかしながら近年、携帯情報端末機器（携帯電話機、携帯用小型コンピュータなどを含む）の高機能化、モバイルワーク（外出先から業務連絡を行うなど）を従来以上に容認する企業風土の変化などにより、グループ情報共有システムを、ユーザの外出先において、携帯情報端末機器から利用したいというニーズが生じてきた。
【０００９】
その場合、携帯情報端末機器は電話機能およびＷｅｂブラウザ機能などを組込み済機能として内蔵しており、プログラマブルではない。したがって、前述のようにグループ情報共有システムで必要な画像配信制御であるＲｅｃｉｐｒｏｃｉｔｙ制御を実装しようとしてもそれが不可能である場合がほとんどである。また、携帯情報端末機器はプログラマブルでないだけでなく、勤務状況画像を撮像するためのビデオキャプチャデバイスを具備していないものも多い。
【００１０】
しかし、勤務状況画像の共有機能をもつグループ情報共有システムにとってＲｅｃｉｐｒｏｃｉｔｙ制御の導入は前述のように非常に重要であり、例えば撮像機能を具備せずＷｅｂブラウザ機能を具備する携帯情報端末機器を所持するユーザに、他のユーザの勤務状況画像を配信するという制御をグループ情報共有システムにむやみにとりいれることは、利用ユーザ全体の互恵性の崩壊、しいては各ユーザのプライバシー侵害感の増大とそれによるユーザの反発を招いてしまう。
【００１１】
このように、勤務状況画像の共有機能をもつグループ情報共有システムにおいては、近年増加しつつあるモバイルワークなどに対応するため、携帯情報端末機器を所持するユーザの接続を許可したい。
【００１２】
しかしながら、これら携帯情報端末機器がプログラマブルではない既製品であり、端末側にＲｅｃｉｐｒｏｃｉｔｙ制御を組み込むことができない。
【００１３】
Ｒｅｃｉｐｒｏｃｉｔｙ制御が行なわれない端末機器が接続されると、互恵性がくずれることから勤務状況の送出に関するユーザの納得が得られず、結果としてグループ情報共有システムの利用が促進されず、前述のような各種の利用効果が得られない。
という、相反する問題が発生しており、それをいかにして解決するかが課題となっていた。
【００１４】
本願発明は上述した課題を解決することを目的とする。
【００１５】
【課題を解決するための手段】
上述した目的を達成するために、本願発明によれば、複数のユーザの各々に設置された端末装置の画面上にサーバ装置からネットワークを介して他のユーザに関する画像情報を表示する共有システムにおいて、前記サーバ装置において、第１の端末装置からの画像情報の受信の有無を検出する検出手段と、前記検出手段によって前記第１の端末装置から画像情報が受信された場合、前記第１の端末装置においてログインしているユーザと同一のユーザであることを示す認証番号の入力が検出された第２の端末装置に対して、その他の各端末装置の画像情報を前記第２の端末装置に対して送信する送信手段とを有することを特徴とする共有システムを提供する。
【００１６】
また、本願のその他の発明によれば、複数のユーザの各々に設置された端末装置の画面上にサーバ装置からネットワークを介して他のユーザに関する画像情報を表示する共有システムにおいて、前記サーバ装置において、画像情報を送信していない端末装置に対して、その他の各端末装置の画像情報を送信する代償として、前記所定の端末が前記分散システムに接続している情報を前記その他の各端末装置に送信する送信手段とを有することを特徴とする共有システムを提供する。
【００１７】
また、複数のユーザの各々に設置された端末装置の画面上にサーバ装置からネットワークを介して他のユーザに関する画像情報を表示する共有システムにおいて、前記サーバ装置において、第１の端末装置からの画像情報の送信の有無、ならびに前記第１の端末装置においてログインしているユーザと同一のユーザであることを示す認証番号の入力が検出された第２の端末装置からの画像情報の送信の有無を検出する検出手段と、前記検出手段によって検出された端末装置に対して、前記第１，第２の端末装置以外の画像情報を送信する送信手段とを有することを特徴とする共有システムを提供する。
【００１８】
【発明の実施の形態】
（第１の実施の形態）
以下、添付の図面に沿って第１の実施の形態を説明する。
【００１９】
図１は本発明の実施の形態におけるグループ情報共有システムの全体構成を示す図である。
【００２０】
図１において、端末装置１０１，１０２はその内部に通信機能を有し、インターネット１０３に接続されている。端末装置１０１はパーソナルコンピュータ（ＰＣ）によって構成され、グループ情報共有システム端末装置用プログラムによって動作する。端末装置１０２は、携帯電話あるいはＰＤＡなどの移動体通信用無線伝送機能を有する端末装置である。端末装置１０１，１０２は、それぞれ複数接続されているものとする。サーバ装置１０４は、同様にその内部に通信機能を有し、インターネット１０３に接続されている。なお、サーバ装置１０４はサーバ用コンピュータによって構成され、グループ情報共有システムサーバー装置用プログラムによって動作する。
【００２１】
図２は端末装置１０１の画面に表示されるグループ情報共有システムの画面表示の一例である。２０１はユーザの名称であり、２０２は当該ユーザが使用している端末装置からサーバ装置を介して他ユーザへ配信された文字情報であるメッセージ情報である。表示部２０３は当該ユーザの使用する端末装置１０１から送信されサーバ装置を経由して他ユーザへ配信された画像が表示される。画像情報は、サーバ装置を経由して継続的に配信され、現在の状況が把握できるようにリアルタイム画像が表示される。
【００２２】
図２では８人のユーザがサーバ装置１０４に１つのグループとして登録され利用している様子が示されている。そして、これらのユーザが所属するグループの名称が２０４に示されている。なお、図２に示す画面表示が原則として当該グループに所属するユーザの端末装置の画面上に表示される。
【００２３】
図８は、携帯電話などの端末装置１０２に表示される情報レイアウトの一例を示している。領域２０８は実際に携帯電話などの端末装置に表示可能な領域を示しており、画面をスクロールボタンなどによってスクロールすることにより、図８の下方の情報が表示されることになる。これは携帯電話機等の表示部の制約（大きさ）から、一度に表示される範囲が少ないためである。図８においても図２と同様に、端末装置の設置場所に関する情報２０９ならびに携帯電話などの種類を示す情報２１０などが表示される。
【００２４】
図３は本実施の形態におけるユーザの端末装置１０１，１０２の構成を示すブロック図である。端末装置１０１，１０２は、上述したようにそれぞれＰＣ、携帯電話によって構成され、グループ情報共有システム端末装置として動作する。具体的には、通信制御部３０１、入力部３０２、ＣＰＵ３０３、表示部３０４、ＲＯＭ３０５、ＲＡＭ３０６、ストレージ部３０７を具備している。
【００２５】
通信制御部３０１はインターネットに接続するための通信制御を処理するが、ユーザの環境に応じてさまざまな通信インターフェースが適用される。アクセス網に直接接続する場合は各種モデムやターミナルアダプタなどで構成され、外部装置のＡＤＳＬモデムやケーブルモデムに接続する場合はイーサーネットインタフェースで構成される。
【００２６】
入力部３０２は、キーボード、マウス、マイクロフォン、およびビデオカメラであり、うちキーボードはユーザが入力するメッセージ情報の取得に、ビデオカメラはユーザ自身およびその近辺の状況を含む勤務状況映像の撮像に用いられる。
【００２７】
ＣＰＵ３０３はパーソナルコンピュータ全体の制御に加えてグループ情報共有システム端末装置用プログラムデータが指示する処理を行う。
【００２８】
表示部３０４は、ＣＲＴまたは液晶ディスプレイなどによって構成され、図２に例を示す画面表示は表示部３０４のスクリーン上に表示される。
【００２９】
３０５はＲＯＭ（Ｒｅａｄ  Ｏｎｌｙ  Ｍｅｍｏｒｙ）であり、ＣＰＵ３０３に必要な命令やデータを格納する。
【００３０】
３０６はＲＡＭ（Ｒａｎｄｏｍ  Ａｃｃｅｓｓ  Ｍｅｍｏｒｙ）であり、ＣＰＵ３０３の動作に必要な作業メモリとして使用される。
【００３１】
３０７はストレージ部であり、具体的にはハードディスクドライブである。３０７はグループ情報共有システム端末装置用プログラムデータ３０９が格納されるとともに、グループ情報共有システム端末装置用プログラムデータの動作に必要なデータの格納を行う。
【００３２】
３１０は音声出力部であり、具体的には音源回路、音声増幅回路および音声出力用スピーカである。
【００３３】
３０１から３０７および３１０の各ブロックはシステムバス３０８に接続されている。
【００３４】
端末装置１０２について説明する。端末装置１０２は携帯電話機、携帯用小型コンピュータなどを含む携帯情報端末機器である。これらの内部構成に関しては性能の差はあるものの、上述したとおりであるので説明を省略するが、これらの携帯情報端末機器はその内部に移動体通信用無線伝送機能およびＨＴＭＬブラウザおよびインターネット接続機能を内蔵しており、また、入力部１０３として、入力キーを具備している。入力キーは電話機能を用いる際に加入者電話番号を入力するための数字キーとして用いることのほかに、ＨＴＭＬで記述されるＷｅｂページを閲覧する場合に、閲覧を希望する特定のＷｅｂページを指定したり当該Ｗｅｂページの中でその入力を促されるユーザＩＤなどを入力したりする目的において、アルファベット文字の入力を行うことも可能である。また表示部３０４としての液晶表示部はＷｅｂページを表示することに用いられる。例えば携帯電話機の１例として、Ｗｅｂページを表示した場合、最大で１１０文字を同時に液晶画面に表示することができ、またＷｅｂページにＪＰＥＧ形式の画像ファイルが含まれていた場合にそれを表示することも可能な機種が存在する。
【００３５】
図４は本実施の形態におけるサーバ装置１０４の構成を示すブロック図である。サーバ装置１０１は、上述したようにサーバ用コンピュータによって構成され、グループ情報共有システムサーバー装置用プログラムデータによって動作し、具体的には、通信制御部４０１、入力部４０２、ＣＰＵ４０３、表示部４０４、ＲＯＭ４０５、ＲＡＭ４０６、ストレージ部４０７を具備している。
【００３６】
通信制御部４０１はインターネット１０３に接続するための通信制御を処理するが、通常サーバ装置１０４はインターネット基幹網に近いインターネットサービスプロバイダのＮＯＣ（Ｎｅｔｗｏｒｋ  Ｏｐｅｒａｔｉｏｎ  Ｃｅｎｔｅｒ）に設置されるため、通信インターフェースとしてＮＯＣのルーターに接続するための高速イーサーネットインタフェースで構成される。
【００３７】
入力部４０２はサーバ用コンピュータの管理用キーボードおよびマウスであるが、これらを備えずネットワーク経由で接続される管理用コンピュータから管理処理に係る入力を行う場合もある。
【００３８】
ＣＰＵ４０３はサーバ用コンピュータ全体の制御に加えてグループ情報共有システムサーバー装置用プログラムデータが指示する処理を行うものである。
【００３９】
表示部４０４は、ＣＲＴまたは液晶ディスプレイによって構成される。
【００４０】
４０５はＲＯＭ（Ｒｅａｄ  Ｏｎｌｙ  Ｍｅｍｏｒｙ）であり、ＣＰＵ４０３に必要な命令やデータを格納する。
【００４１】
４０６はＲＡＭ（Ｒａｎｄｏｍ  Ａｃｃｅｓｓ  Ｍｅｍｏｒｙ）であり、ＣＰＵ４０３の動作に必要な作業メモリとして使用される。
【００４２】
ストレージ部４０７は、具体的にはハードディスクドライブである。ストレージ部４０７にはグループ情報共有システムサーバ装置用プログラムデータ４０９が格納されるとともに、グループ情報共有システムサーバ装置用プログラムデータの動作に必要なデータや、ユーザに関するデータベース情報や、端末装置から送信されたメッセージ情報データが格納される。
【００４３】
４０１から４０７の各ブロックはシステムバス４０８に接続されている。
【００４４】
端末装置１０１，１０２において、入力部３０２に含まれるビデオカメラで周囲の画像を撮像しそれをＣＰＵ３０３の処理によって、通信部３０１、インターネット１０３などを介してサーバ装置１０４へ送信する。ビデオカメラによる撮像動作は定期的なタイミング（１秒に２回、１０秒に１回など）で自動的に撮像動作が行われ、撮像画像をサーバ装置１０４へ送信している。一方、端末装置は、サーバ装置１０４から画面レイアウト情報を受信し、サーバ装置１０４から他のユーザの撮像画像が配信される。なお、ユーザのテキスト情報としてのメッセージ情報は、各端末のメッセージの入力動作にともなってその他の端末に配信され、更新される。
【００４５】
次に、上述のような構成をなすグループ情報共有システムにおける本発明の実施形態による画像配信制御方法の動作の流れをフローチャートを参照して詳細に説明する。なお、これらのフローチャートはＰＣ端末装置１０１およびサーバ装置１０４の各装置のストレージ部などに格納されたプログラムデータに基づきＣＰＵ３０３が行う制御の流れである。
【００４６】
図６は端末装置１０１の動作に関するフローチャートであり、図７はサーバ装置１０４の動作に関するフローチャートである。なお、ここでは説明を簡略化するため、あらかじめ端末装置１０１およびサーバ装置１０４それぞれの通信制御部を介してインターネット１０３に接続されているものとする。
【００４７】
図７において、サーバ装置１０４は、起動後グループ情報共有システムサーバー装置用プログラムの動作に基づいて、サーバ装置１０４の管理者があらかじめ４０２のキーボード等を用いて入力しているユーザ情報としてデータベースに記憶されている情報をストレージ部４０７からＲＡＭ４０６へ読み込む（ステップＳ７０１）。さらにそのデータベースの内容に基づいて、図２に示すような端末装置１０２用のユーザインタフェース画面を表示するために必要な画面レイアウト情報を生成しＲＡＭ４０６に格納する（ステップＳ７０２）
【００４８】
一方、図６において、端末装置１０２は、起動後グループ情報共有システム端末装置用プログラムの動作に基づいて、表示部３０４にユーザＩＤおよびパスワードの入力をユーザに促す画面（図５）を表示させる。ユーザＩＤおよびパスワードの入力が検出されると（ステップＳ６０１）、その値を含む接続要求を、通信制御部３０１、インターネット１０３を介してサーバ装置１０４に送信する（ステップＳ６０２）。
【００４９】
図７において、サーバ装置１０４は、ユーザＩＤとパスワードを受信すると（ステップＳ７０３）と、そのユーザＩＤ（認証番号）とパスワードが正しいか否かを、具体的にはデータベースに記録されているユーザ登録情報と照らし合わせることにより確認し（ステップＳ７０４）、もし正しければ、さらにステップＳ７０３において受信したユーザＩＤとパスワードがＰＣ（パーソナルコンピュータ）用のユーザＩＤとパスワードとしてユーザ登録情報に登録されているか（ステップＳ７０５）、あるいは携帯端末用のユーザＩＤとパスワードとしてユーザ登録情報に登録されているかを判定する（ステップＳ７０６）。
【００５０】
Ｓ７０５において、受信したユーザＩＤとパスワードがＰＣ接続用のユーザＩＤとパスワードとしてユーザ登録情報に登録されている場合には、認証済み情報をＰＣである端末装置１０１へ送信し（ステップＳ７０７）、端末装置１０１とのインターネット１０３を介した通信を開始する（ステップＳ７０８）。
【００５１】
一方、端末装置１０１においても、ステップＳ７０７で送信された認証済み情報を受信すると（ステップＳ６０３）、サーバ装置１０４との通信接続を確立し開始するが（ステップＳ６０４）、その後ただちに入力部３０２が具備するビデオカメラの起動を試みる。認証済み情報の代わりに、認証付加情報を受信した場合（ステップ６０３ａ）、端末装置１０１の入力部３０２としてビデオカメラが正しく接続されており、システムバス３０８を介してビデオカメラによって撮影された周囲の画像（勤務状況画像）データを取得可能であると確認できた場合（ステップＳ６０５）、つまりグループ情報共有システム端末装置用プログラムデータの働きにより、端末装置１０１のビデオカメラの起動が可能であることを確認した場合には、「画像送信ＯＮコマンド」をサーバ装置１０４へ送信する（ステップＳ６０６）。
【００５２】
なお、上記のプロセスにおいて何らかの理由により（ビデオカメラが正しく接続されていない場合や、ユーザが意図的にビデオカメラの電源をＯＦＦにした場合など）により端末装置１０１のビデオカメラの起動が不可能であった場合には、「画像送信ＯＦＦコマンド」をサーバ装置１０４へ送信する（ステップＳ６０７）。
【００５３】
サーバ装置は画像送信ＯＮコマンドを受信すると（ステップＳ７０９）、端末装置１０１から接続したユーザの接続ステータス情報の一つである「画像送信フラグ」を１にセットする。そして、この端末装置から画像情報を受信するとともに、各端末装置からの画像情報を含むレイアウト情報を端末装置１０１に送信する（ステップＳ７１０）。画像送信ＯＦＦコマンドを受信すると、「画像送信フラグ」を０にセットし、その他各端末装置からの画像情報が含まれないレイアウト情報を端末装置１０１に送信する（ステップＳ７１１）。なお、このようなフラグがセットされると、その値はサーバ装置１０４のデータベースに直ちに書き込まれるが、それらの値がデータベースに書き込まれた状態の例を図９に示す。
【００５４】
一方、端末装置１０１は、画像送信ＯＮコマンドのサーバ装置１０４への送信にともなって、ただちにビデオカメラの撮像動作を開始し、サーバ装置１０４へ送信する。さらに定期的なタイミング（１秒に２回、１０秒に１回など）により自動的に画像の更新（撮像して送信）を繰り返し、同様にサーバ装置１０４へ送信する（ステップＳ６０８）。さらに端末装置１０１はサーバ装置１０４から画面レイアウト情報を受信するとともに（ステップＳ６０９）、他の端末装置から接続しているユーザのメッセージ情報および画像情報を受信し、図２に示すような形式でこれらの情報を表示する（ステップＳ６１０）。
【００５５】
上述したように、端末装置１０１が画像送信ＯＦＦコマンドをサーバ装置１０４へ送信した場合には、前述のＲｅｃｉｐｒｏｃｉｔｙ制御の考えにもとづき、画像送信ＯＦＦコマンドを送信した端末装置に対しては、他の端末装置からサーバ装置１０４へアップロードされた勤務状況画像の配信は行なわれず、画面レイアウト情報およびメッセージ情報のみが表示されるが、その場合の端末装置１０１の表示部３０４に表示される画面例を図１０に示す。
【００５６】
なお、端末装置において、画像送信の有無にかかわらず、メッセージ情報の入力があれば（ステップＳ６１１：文字情報の入力を行う画面を図１１に示す）、その文字情報はサーバ装置１０４に送信され、他のユーザの各端末装置に転送される（ステップＳ６１２）。その際、メッセージ情報には当該メッセージを送信するユーザのユーザＩＤが必ず含まれる。サーバ装置１０４ではメッセージ情報を現在接続中のいずれかの端末装置から受信すると（ステップＳ７１２）、ただちにその内容（送信者のユーザＩＤを含んだままの情報）をすべての端末装置に対して転送配信する（ステップＳ７１３）。
【００５７】
端末装置では、メッセージ情報をサーバ装置から受信した場合には、そのメッセージ情報の送信者のユーザＩＤを参考にあらかじめサーバ装置から受信している画面レイアウト情報にしたがって、画面レイアウト情報が指定する表示位置にメッセージ情報を表示する（ステップＳ６１４）。そして、ユーザの操作によってシステムの接続を終了したい場合（ステップＳ６１５）、ログアウトコマンドをサーバ装置１０４へ送信する（ステップＳ６１６）。
【００５８】
さらに、端末装置１０１からのログアウトコマンドを受信した場合には（ステップＳ７１４）、その端末装置との接続を終了する。
【００５９】
このようにして、図２にその表示例を示すように、同一のグループに所属するユーザ登録情報に登録されたすべてのユーザは、各々の端末装置の表示部上において同様のレイアウトの画面上のメッセージを確認することができ、メッセージを変更したい場合は上述の方法によってサーバ装置を介してただちに全員の画面上に同様の表示形式によって反映されることになる。また、ビデオカメラから勤務状況画像を送信する端末装置の表示部上においては自身および他ユーザの勤務状況画像が逐次更新表示され、送信しない端末装置の表示部上においては図１０にその表示例を示すような表示が行なわれ、各ユーザの勤務状況画像は表示されない。
【００６０】
次に、前述の携帯電話などの端末装置１０２がサーバ装置１０４へ接続する場合の画像配信制御方法について説明する。本実施の形態においては、端末装置１０２がカメラ機能を有さないものとして記載している。
【００６１】
端末装置１０２はその一般的な利用方法としては、公共交通機関に乗車中などの場合で使用を禁止されている場合を除き、常に電源がＯＮであり、電話の発呼や着呼、インターネット接続機能の起動が可能な状態にある。
【００６２】
本実施の形態によるグループ情報共有システムのユーザは、通常ＰＣである端末装置１０１を利用し、勤務状況映像を他のユーザの端末装置１０１に対して送信している。本実施の形態においては、ユーザが外出する場合において、端末装置１０１はそのまま（通信接続を維持し、勤務状況画像の送出を継続する）にした状態で外出すれば、外出先においてグループ内のユーザの状況を知りたい場合には携帯端末としての端末装置１０２を用いてサーバ装置１０４へ接続し他のユーザの状況を勤務状況画像の表示によって知ることができるというものである。
【００６３】
このような携帯端末からアクセスが行われたときのシステムの動作を図７のフローチャートを用いて説明する。まず、ユーザの操作により、端末装置１０２のインターネット接続機能およびＷｅｂブラウザ機能を用いてインターネット１０３を介してサーバ装置１０４へ接続し、ユーザＩＤおよびパスワードを入力すると、その値を含む接続要求を、サーバ装置１０４に送信する。
【００６４】
サーバ装置１０４はユーザＩＤとパスワードを受信すると（ステップＳ７０３）、そのユーザＩＤとパスワードが正しいか否かを、具体的にはデータベースとして記録されているユーザ登録情報と照らし合わせることにより確認する（ステップＳ７０４）。正しければ、さらにステップＳ７０３において受信したユーザＩＤとパスワードがＰＣ接続用のユーザＩＤとパスワードとしてユーザ登録情報に登録されているか（ステップＳ７０５）、あるいは携帯端末用のユーザＩＤとパスワードとしてユーザ登録情報に登録されているか（ステップＳ７０６）を判定する。ここではユーザが端末装置１０２から接続しているので、ユーザＩＤとパスワードが携帯端末用のユーザＩＤとパスワードとして正しいと判定された場合には、サーバ装置１０４はただちに当該ユーザＩＤとパスワードで接続してきたユーザに対応するＰＣ端末装置１０１の利用状況、具体的には当該ユーザに対応するＰＣ端末装置からサーバ装置１０４への接続状況を確認し（ステップＳ７１５）、画像送信フラグの値をサーバ装置のデータベース４０９を参照して確認する（ステップＳ７１６）。
【００６５】
その結果、携帯端末である端末装置１０２からサーバ装置１０４へ接続してきたユーザに対して、サーバ装置１０４がそのユーザのＰＣ端末装置に対して他の端末装置の勤務状況画像をサーバ装置１０４へ送信動作を行っていない（画像送信フラグ＝１）場合においては、サーバ装置は、端末装置１０２に対して、当該ユーザが所属するグループの全てのユーザ端末装置が送信するメッセージ情報および画像情報（勤務状況画像）を含むＷｅｂ画面を生成し、それを携帯端末である端末装置１０２へ送信する（ステップＳ７１７）。それにより、端末装置１０２の表示部において、図３に示すような画面、すなわち全てのユーザのメッセージ情報および勤務状況画像が表示される。
【００６６】
一方、携帯端末である端末装置１０２からサーバ装置へ接続してきたユーザが使用するＰＣ端末装置から、勤務状況画像をサーバ装置１０２へ送信動作を行っていない（画像送信フラグ＝０）場合においては、サーバ装置１０４は当該携帯端末装置１０２に対して、当該ユーザが所属するグループの勤務状況画像を送信せず、メッセージ情報のみのＷｅｂ画面を生成し、それを端末装置１０２へ送信する（ステップＳ７１８）。その場合の画面表示例を図１２に示す。
【００６７】
以上説明したように、外出などの理由においてＰＣである端末装置の設置場所から離れなければならない状況であって、外出先などから携帯端末装置を用いて自身が所属するグループの他のユーザの状況を知ろうとする場合、自身が使用するＰＣ端末装置が勤務状況画像を送出している場合においては他のユーザの勤務状況画像を携帯端末装置において表示することが可能となる。このような構成によって、他のユーザの在席情報などを取得できることによりこれらのユーザと業務連絡を行う場合のコミュニケーションツールの選択やコミュニケーションを行うタイミングを判断するのに有用な情報を得ることができる。一方、ＰＣ端末装置から勤務状況画像を送出していないユーザが携帯端末装置を用いてグループ内の他のユーザの勤務状況画像の取得を希望したとしても、サーバ装置１０４はそれを許可せずメッセージ情報のみを配信する。それにより、グループ全体でのプライバシー侵害感の防止、不公平感の防止、ＰＣ端末装置を用いて勤務状況画像を送出することの促進を図ることができる。
【００６８】
なお、本実施の形態においては、図９に示すように、ある特定のユーザに対して、ＰＣである端末装置１０１からサーバ装置へ接続する場合に使用するユーザＩＤおよびパスワードの組み合わせ（図９では「第１ログインＩＤ」「第１パスワード」と記されている）、携帯端末である端末装置１０２からサーバ装置１０４へ接続する場合に使用するユーザＩＤおよびパスワードの組み合わせ（図９では「モバイルログインＩＤ」「モバイルパスワード」と記されている）、をそれぞれ別の文字列とする例を示した。しかしながら、これらは必ずしも別の文字列である必要はなく、同一の文字列でもよい。この場合、サーバ装置１０４は、端末装置１０１から接続する場合と端末装置１０２から接続する場合とで、接続するＵＲＬやＩＰアドレスを分けることにより、どちらの端末装置からの接続要求であるかを識別する。あるいは、端末装置から受信するＨＴＴＰヘッダー情報によりいずれの端末装置からの接続要求であるかを識別することができる。これらの方法は既知の技術であるため説明を省略する。
【００６９】
（第２の実施の形態）
次に本発明の第２の実施形態について説明する。
【００７０】
第２の実施の形態におけるシステムでは、図１に示すようなグループ情報共有システムにおいて、携帯端末としての端末装置から他のユーザの端末装置から送信される勤務状況画像を制限なく閲覧することができるが、その代償として、携帯端末装置のユーザ接続され、各端末装置の画像の閲覧を行っていることが携帯端末装置以外の端末装置を利用中のユーザに表示または音声を通じて通知されることを含む画像配信制御方法をとりいれるものである。
【００７１】
このことにより、ＰＣから接続しているユーザにとっては、自分自身の勤務状況画像を自らが知らない間に携帯端末のユーザに閲覧されることがなくなることから、被監視に関する警戒感、精神的な不安感を軽減することが可能となる。
【００７２】
第２の実施の形態におけるシステムの構成は第１の実施の形態と同様であり、その説明を省略する。
【００７３】
図９は、画像情報を転送可能な端末装置１０１の動作に関するフローチャートであり、図１４はサーバ装置１０４の動作に関するフローチャートである。なお、ここでは説明を簡略化するため、あらかじめ端末装置１０１およびサーバ装置１０４がインターネット１０３を介して接続されているものとする。
【００７４】
また、図９に示される符号のうち、図６と同じ符号を示すもの、ならびに図１４に示される符号のうち、図７と同じ符号を示すものは同様の動作を行うものとしてその説明を省略する。
【００７５】
サーバ装置１０４において、携帯端末装置から本システムへの接続に応じて、アクセスしているというモバイルアクセス情報を発行し、グループのその他の各端末装置へ送信（ステップＳ１５０１）すると、その情報はその他の各端末装置において受信される（ステップＳ１４０１）各端末装置１０１はモバイルアクセス情報を受信すると、グループ情報共有システム端末装置用プログラムデータの働きにより、端末装置の表示部３０４において携帯端末装置からサーバ装置１０４への接続が行なわれていることを画像表示によって通知し（ステップＳ１４０２）また、端末装置が音声出力部３１０を具備している場合は携帯端末装置１０２からサーバ装置１０４への接続が行なわれていることを警告音声によって通知する。
【００７６】
その際、サーバ装置１０４は単にモバイルアクセス情報のみをその他の各端末装置へ送信する場合と、接続中の携帯端末装置１０２のユーザがだれであるかの情報を含める場合とがある。後者の場合、端末装置１０２から送信されステップステップＳ７０６において正しいと判定されたユーザＩＤ（前述のように、図９に示されるモバイルアクセスＩＤと同一である）をモバイルアクセス情報に含めて送信する場合とがある。
【００７７】
なお、この時点では携帯端末装置１０２の表示部には図１３にその例を示すようなメインメニューが表示されており、この時点ではその他の各端末装置のユーザの勤務状況画像やメッセージを受信し閲覧しうる状態には至っていない。この状態で、図１６の「オフィスビュー」の表示を指示した場合（具体的には当該入力部の方向ボタンを用いて「オフィスビュー」と書かれた部分をハイライト状態（選択可能な状態）にしたうえで当該入力部の決定ボタンを押し下げする。この詳細については携帯電話機等の一般的な操作形態であり公知であるため説明を省略する）、（勤務状況画像の）画像情報およびメッセージ情報の要求を意味する「オフィスビュー要求情報の送信」を行い、その要求情報は端末装置１０２からインターネット１０３介してサーバ装置へ伝達される（ステップＳ１５０２）。
【００７８】
サーバ装置１０４は該画像情報とメッセージ情報の要求情報を受信すると、それを要求した第２の端末装置に対して、要求された該画像情報とメッセージ情報とを送信する（ステップＳ１５０３）。
【００７９】
携帯端末装置１０２ではそれらの情報を受信すると、自ら具備するＷｅｂブラウザ機能を用いて図３に示すような画面として表示する。サーバ装置１０４では、接続中の携帯端末装置１０２からの（画像情報およびメッセージ情報の）情報要求を継続して監視しており、情報要求が一定時間内（たとえば５分間であり、その時間設定はグループ情報共有システムサーバー装置用プログラムデータに書き込まれている）に継続する場合（ステップＳ１５０４でＹｅｓの場合）、継続してモバイルアクセス情報をその他の端末装置へ送信する。携帯端末装置１０２からサーバ装置１０４への接続が継続している状況を端末装置１０１へ通知し、また端末装置１０２のユーザは継続して（繰り返し）情報要求することにより、あらためてユーザＩＤとパスワードの入力を行わずして、最新の勤務状況画像とメッセージ情報を図３に示される表示形式により取得することが可能である。
【００８０】
携帯端末装置１０２において情報要求が一定時間内に再度入力されない場合には、サーバ装置１０４においては携帯端末装置１０２との通信は切断される（ステップＳ１５０５）。したがって、その場合にはたとえ携帯端末装置のユーザが図１３の「オフィスビュー」要求の指示を入力した場合でも図３に示される画面が更新されることはなく図１６に示されるログイン画面が代わりに表示される。
【００８１】
つぎに、上述のプロセスの間におけるＰＣで構成された端末装置における制御について、図１４のフローチャートを用いて説明する。
【００８２】
サーバ装置１０４が携帯端末装置１０２からアクセスしているユーザが存在していることを示すモバイルアクセス情報を発行し、ＰＣで構成された端末装置１０１において受信される（ステップＳ１４０１）。
【００８３】
端末装置１０１は、該情報を受信すると、グループ情報共有システム端末装置用プログラムデータの働きにより、表示部３０４において携帯端末装置１０２からサーバ装置１０４への接続が行なわれていることを画像表示によって通知し（ステップＳ１４０２）、また、端末装置１０１が音声出力部３１０を具備している場合は携帯端末装置１０２からサーバ装置１０４への接続が行なわれていることを警告音声によって通知する（ステップＳ１４０３）。
【００８４】
なお、前述のように、サーバ装置１０４は単にモバイルアクセス情報のみを各端末装置１０１へ送信する場合と、携帯端末装置１０２を利用しているユーザＩＤをモバイルアクセス情報に含めて送信する場合とがある。前者のモバイルアクセス情報のみである場合（だれが携帯端末装置でアクセスしているかはその他の端末装置には通知されない）場合には、図１７に示すような画面においてパトランプ（警告ライト）１８０１を模したアイコンが表示される。
【００８５】
また、接続中の携帯端末装置１０２のユーザＩＤを含めて送信された場合には、図１８にその表示例を示すように、当該ユーザＩＤを利用するユーザの名称を表示するエリア近傍に、「モバイルアクセス中」であることを示す携帯電話機を模したアイコン１９０１を表示し、また同時に当該ユーザの発信するメッセージ情報を表示するエリアに文字情報で当該ユーザがモバイルアクセス中であることを表示する。これにより当該ユーザが携帯端末を使用して接続している事実を他のユーザが知ることができる。
【００８６】
このようにして、例えば外出などの理由においてＰＣで構成される端末装置の設置場所から離れてしまったとしても、所属するグループの他のユーザの状況を携帯端末装置の表示部において表示することができる。またその場合において、ビデオカメラを有するＰＣで構成される端末装置から勤務状況画像を送信中であるユーザは、すくなくとも本実施の形態によるグループ情報共有システムのいずれかのユーザが、自身が使用するＰＣ端末装置１０１から送信される勤務状況画像を受信し閲覧している事実を知ることができる。さらにモバイルアクセス情報に接続中の携帯端末装置のユーザＩＤ情報が付加された場合、具体的にだれが閲覧しているかに関する事実を知ることができる。そのことにより、画像を配信している端末装置のユーザと画像を配信していない端末装置のユーザの間で画像配信・共有に関するＲｅｃｉｐｒｏｃｉｔｙがくずれているにもかかわらず、画像を配信している端末装置のユーザの被監視に関する警戒感、精神的な不安感を最小限におさえることができる。
【００８７】
また一方、携帯端末装置のユーザは、その閲覧している事実は第１の端末装置のユーザに知られることから、業務上必要な頻度を越えて頻繁に閲覧することが抑制する効果も得られる。そのことは画像を配信している端末装置のユーザの前述の不安感等をより軽減しえる。さらにグループ情報共有システム全体の画像配信処理制御にかかわる処理負荷を抑える効果にもつながる。
【００８８】
なお、本第２の実施の携帯に関する上記説明では、携帯端末装置が接続中である事実をＰＣで構成されるその他の端末装置のユーザに通知する手段として、ＰＣで構成される端末装置においてモバイルアクセス情報を画面表示および音声出力を用いて通知するの手段を用いたが、これらは必ずしも双方を用いる必要は無く、そのどちらかだけでもよい。
【００８９】
また、上記説明では、携帯端末装置が接続中であることを示す情報をその他の端末装置１０１のユーザに通知させる場合、端末装置１０１の表示部３０４上に表示される表示画面ではなく、端末装置１０１のシステムバス３０８に接続される、外部機器（その例としては、ＲＳ２３２インターフェースやＵＳＢインターフェースを備えそれを通じて接続される電光掲示板、警告ランプなど）を用いて表示させてもよい。
【００９０】
また、モバイルアクセス情報として接続中の携帯端末装置のユーザＩＤ情報が付加された場合、端末装置１０１に音声合成ソフトウェアを付加し、音声出力部３１０より「加藤さんがアクセス中です」などの合成自然言語音声として出力してもよい。
【００９１】
（第３の実施の形態）
本発明にかかわる第３の実施形態について説明する。
【００９２】
本第３の実施の形態では、携帯端末装置１０２として、いわゆる「カメラ付携帯電話機」を用いる。一方、端末装置１０２に関しては第１，第２の実施の形態と同様である。そのようなグループ情報共有システムにおいて、携帯端末装置のユーザは、具備する内蔵カメラを用いて、例えば外出中であるユーザ自身とその近隣の風景の画像を撮像し、該画像をサーバ装置に送信した場合においてのみ、他ユーザの端末装置から送信される勤務状況画像を閲覧することができる画像配信制御方法をとりいれるものである。
【００９３】
このような画像配信制御方法により、ＰＣで構成された端末装置１０１とは異なる更新頻度や画像品質ではあるものの、携帯端末装置のユーザも該ユーザ自身やその近隣風景に関する画像情報を他のユーザに公開することから、これらのユーザとの間で画像送信・共有に関するＲｅｃｉｐｒｏｃｉｔｙがある程度確保され、ＰＣ端末装置のユーザが抱きがちな被監視に関する警戒感、精神的な不安感を軽減することが可能となる。
【００９４】
以下、図面を参照して本発明にかかわる本第３の実施形態について説明する。
【００９５】
第３の実施の形態におけるシステムの構成は、カメラ付携帯端末を端末装置１０２で用いる以外（入力部３０２にカメラが含まれる）は第１の実施の形態と同様であり、その説明を省略する。
【００９６】
以下、上述のような構成をもつ本発明の第３の実施形態による画像配信制御方法の動作の流れを図１９のフローチャートを参照して説明する。なお、このフローチャートはサーバ装置１０４のメモリに格納されたプログラムデータに基づきＣＰＵ部が行う制御の流れである。また、端末装置１０１の動作は第１の実施の形態と同様であるのでその説明を省略する。
【００９７】
なお、図１９は図７のフローチャートと同じ符号の処理は同様の処理を行うものとして説明を省略する。ここでは説明を簡略化するため、あらかじめ端末装置１０１およびサーバ装置１０４はそれぞれの通信制御部を用いてインターネット１０３に接続されているものとし、端末装置（カメラ付携帯電話機）１０２がサーバ装置１０４へ接続したときの制御処理から説明する。
【００９８】
ユーザが端末装置１０２から接続しており、ステップＳ７０６においてユーザＩＤとパスワードが端末装置１０２の接続用のユーザＩＤとパスワードであると判定された場合（図９に示すモバイルログインＩＤおよびモバイルパスワードであると判定された場合）には、サーバ装置１０４のＣＰＵ４０３は、グループ情報共有システムサーバー装置用プログラムに基づいて、カメラ付携帯電話である端末装置１０２から送信される情報を監視し、そのデータのなかに第２の端末装置から送信される画像情報が含まれるか否かを監視する（ステップＳ２００１）。
【００９９】
端末装置１０２であるカメラ付携帯電話機のユーザは、カメラ機能を用いて例えば外出中である自分自身とその近隣の風景の画像を撮影する。そして、この撮影画像を端末装置１０２からＨＴＴＰプロトコルを用いてサーバ装置１０４に転送する。サーバ装置１０４において、前述の監視制御によって画像情報であることが確認されると、この画像情報をただちに、接続中のグループのその他の端末装置に対してその配信が開始される。（ステップＳ２００２）すなわち、当該画像は、ＰＣ端末装置において撮像された画像と同様に扱われることとなる。
【０１００】
また、携帯端末装置１０２のユーザがカメラ機能を用いて撮像した画像をサーバ装置１０４へ送信すると、サーバ装置１０４はただちにこの端末装置１０２にたいして、グループのその他ユーザの画像情報（勤務状況画像）およびメッセージ情報を送信する（ステップＳ２００３）。カメラ付携帯端末装置１０２ではそれらの情報を受信すると、自ら具備するＷｅｂブラウザ機能を用いて図８に示すような画面として表示する。
【０１０１】
ところで、上述のプロセスの間、ＰＣで構成される端末装置１０１においては、ステップ２００２においてユーザへの画像情報が配信された場合、図２に示すような表示画面がその表示部３０４に表示され、必ずしも表示中の一部の画像がカメラ付携帯電話機からのものであることが特別に示されるわけではない。
【０１０２】
しかしながら、上述のように、全てのユーザが画像情報を送信しているため、ＰＣ端末装置１０１および携帯端末装置１０２にかかわらず、Ｒｅｃｉｐｒｏｃｉｔｙが確保された画像配信制御を実施しているといえる。
【０１０３】
このようにして、外出先などにおいて自身が所属するグループの他のユーザの状況を知ろうとするユーザは、携帯端末装置１０２のカメラ機能を用いて画像を送信することにより、それと引き換えに他のユーザの画像情報を取得することができる。またその場合において、用いる端末装置の種別が異なるにもかかわらず画像共有に関するＲｅｃｉｐｒｏｃｉｔｙが維持されていることから、端末装置のユーザの被監視に関する警戒感、精神的な不安感を最小限におさえることができる。
【０１０４】
なお、携帯端末装置１０２の例としてカメラ内蔵携帯電話機について説明したが、本実施例はそれに限るわけではなく、プログラマブルではない各種携帯情報機器でビデオカメラによる画像撮像機能が内蔵されているものであれば他の形態の情報端末機器であってもよい。
【０１０５】
また、カメラ内蔵携帯電話機が送信する画像は静止画の場合と動画の場合とがあり、いずれもサーバ装置１０４を介して他の端末装置の表示部に表示される。その場合、静止画の場合は継続的に表示されるが、動画の場合はカメラ内蔵携帯電話機が撮像および送信可能な動画像の撮影継続時間は１０秒程度が一般的であり、その他のＰＣ端末装置１０１の表示部上において１回のみ再生したのではそのユーザが見過ごしてしまう場合が多い。そこで１回のみではなく繰り返し表示するように端末装置１０１において制御してもよい。あるいは、端末装置１０１が受信した動画像の中から代表画像である静止画像を抽出し、それを表示するように端末装置１０１において制御してもよい。
【０１０６】
【発明の効果】
以上説明したように、本実施の形態によれば、携帯端末からアクセスしたユーザに対してもＲｅｃｉｐｒｏｃｉｔｙの概念が損なわれることなく適切な制御を行うことができる。
【図面の簡単な説明】
【図１】本発明の各実施の形態におけるシステムの構成図。
【図２】本実施の形態における端末装置の表示画面の一例を示す図。
【図３】本実施の形態における端末装置の構成を示すブロック図。
【図４】本実施の形態におけるサーバ装置の構成を示すブロック図。
【図５】各実施の形態における端末装置１０１のログイン画面の一例を示す図。
【図６】第１の実施の形態における端末装置側の動作処理フローチャート。
【図７】第１の実施の形態におけるサーバ装置側の動作処理フローチャート。
【図８】本実施の形態における携帯端末装置１０２の表示画面の一例を示す図。
【図９】本実施の形態におけるサーバ装置のデータベースの一例を示す図。
【図１０】各実施の形態における端末装置１０１の表示画面の一例を示す図。
【図１１】各実施の形態における端末装置１０１の表示画面の一例を示す図。
【図１２】各実施の形態における携帯端末装置１０２の表示画面の一例を示す図。
【図１３】各実施の形態における携帯端末装置１０２の表示画面の一例を示す図。
【図１４】第２の実施の形態における端末装置側の動作処理フローチャート。
【図１５】第２の実施の形態におけるサーバ装置側の動作処理フローチャート。
【図１６】各実施の形態における携帯端末装置１０２のログイン画面の一例を示す図。
【図１７】第２の実施の形態における端末装置１０１の表示画面の一例を示す図。
【図１８】第２の実施の形態における端末装置１０１の表示画面の一例を示す図。
【図１９】第３の実施の形態におけるサーバ装置側の動作処理フローチャート。
【符号の説明】
１０１  ＰＣとしての端末装置
１０２  携帯端末装置
１０４  サーバ装置
３０３  ＣＰＵ
３０７  ストレージ部
４０３  ＣＰＵ
４０７  ストレージ部
【図１】
2005018261.tif 000003
【図２】
2005018261.tif 000004
【図３】
2005018261.tif 000005
【図４】
2005018261.tif 000006
【図５】
2005018261.tif 000007
【図６】
2005018261.tif 000008
【図７】
2005018261.tif 000009
【図８】
2005018261.tif 000010
【図９】
2005018261.tif 000011
【図１０】
2005018261.tif 000012
【図１１】
2005018261.tif 000013
【図１２】
2005018261.tif 000014
【図１３】
2005018261.tif 000015
【図１４】
2005018261.tif 000016
【図１５】
2005018261.tif 000017
【図１６】
2005018261.tif 000018
【図１７】
2005018261.tif 000019
【図１８】
2005018261.tif 000020
【図１９】
2005018261.tif 000021